【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
焦点調節用のレンズを有するレンズ装置と通信する通信手段と、
複数の領域における焦点検出信号を検出する検出手段と、
前記複数の領域の中から領域を選択し、選択した領域に対応する焦点検出信号に基づいて前記レンズの駆動量を算出する制御手段と、を備え、
前記制御手段は、前記通信手段を介して第１の情報および第２の情報を取得し、前記通信手段を介して前記第１の情報および前記第２の情報に基づく、前記レンズの駆動量に対応する第３の情報を送信する
ことを特徴とする撮像装置。
【請求項２】
前記制御手段は、前記複数の領域を複数のグループに分け、グループ単位で、前記第２の情報の取得を繰り返す
ことを特徴とする請求項１に記載の撮像装置。
【請求項３】
前記第２の情報の取得を繰り返している間に、前記レンズの位置が移動している
ことを特徴とする請求項２に記載の撮像装置。
【請求項４】
前記検出手段は、撮像面内に設定された複数の焦点検出領域における焦点検出信号を取得する
ことを特徴とする請求項１に記載の撮像装置。
【請求項５】
前記焦点検出信号、前記第１の情報および前記第２の情報に基づくデフォーカス量が、設定された実施範囲内である場合に、前記第３の情報は送信される
ことを特徴とする請求項１乃至４のいずれか１項に記載の撮像装置。
【請求項６】
前記制御手段は、像高から算出した敏感度の補正比率を用いて前記実施範囲を設定する
ことを特徴とする請求項５に記載の撮像装置。
【請求項７】
前記制御手段は、前記複数の領域について異なるタイミングで焦点検出を行う制御モードにおいて、前記焦点検出のタイミングごとに前記レンズ装置から前記第１の情報を取得する
ことを特徴とする請求項１に記載の撮像装置。
【請求項８】
前記制御手段は異なるタイミングで取得された焦点検出信号と、取得した前記第１の情報と前記第２の情報とを対応づけて記憶手段に記憶し、前記複数の領域から選択した領域に対応する敏感度情報を前記記憶手段から取得する
ことを特徴とする請求項７に記載の撮像装置。
【請求項９】
前記グループは、撮像面の領域を格子状に分割されており、前記制御手段は、分割された領域ごとに焦点検出を実行する
ことを特徴とする請求項２に記載の撮像装置。
【請求項１０】
前記第１の情報は、焦点検出信号をレンズの駆動量に換算する換算情報であり、前記第２の情報は、像高に対応した前記換算情報の変化を示す、前記換算情報の補正情報であり、前記第３の情報は、前記焦点調節用のレンズの駆動量である
ことを特徴とする請求項１に記載の撮像装置。
【請求項１１】
撮像装置の制御方法であって、
焦点調節用のレンズを有するレンズ装置と通信する工程と、
複数の領域における焦点検出信号を検出する工程と、
前記レンズ装置から第１の情報および第２の情報を取得する工程と、
前記複数の領域の中から領域を選択する工程と、
選択した領域に対応する焦点検出信号に基づいて前記レンズの駆動量を算出する工程と、
前記レンズ装置に、前記第１の情報および前記第２の情報に基づく、前記レンズの駆動量に対応する第３の情報を送信する工程と、を有する
ことを特徴とする制御方法。
【請求項１２】
撮像装置に装着可能なレンズ装置であって、
焦点調節用のレンズと、
前記焦点調節用のレンズの駆動を制御する駆動制御手段と、
前記撮像装置と通信する通信手段と、を備え、
前記通信手段は、第１の情報および前記第１の情報の変化を示す第２の情報を送信し、前記第１の情報および第２の情報に基づく第３の情報を取得し、
前記駆動制御手段は、前記第３の情報に基づいて前記焦点調節用のレンズの駆動を制御する
ことを特徴とするレンズ装置。
【請求項１３】
前記通信手段は、複数の領域に対応するグループ単位で、前記第２の情報の送信を繰り返す
ことを特徴とする請求項１２に記載のレンズ装置。
【請求項１４】
前記第２の情報の送信を繰り返している間に、前記レンズの位置が移動している
ことを特徴とする請求項１３に記載のレンズ装置。
【請求項１５】
焦点検出信号、前記第１の情報および前記第２の情報に基づくデフォーカス量が、設定された実施範囲内である場合に、前記第３の情報は取得される
ことを特徴とする請求項１２乃至１４のいずれか１項に記載のレンズ装置。
【請求項１６】
前記通信手段は、複数の領域について異なるタイミングで焦点検出を行う制御モードにおいて、前記撮像装置による前記焦点検出のタイミングごとに前記撮像装置に前記第１の情報を送信する
ことを特徴とする請求項１２に記載のレンズ装置。
【請求項１７】
撮像装置に装着可能なレンズ装置の制御方法であって、
前記撮像装置と通信する工程と、
前記撮像装置に、第１の情報および前記第１の情報の変化を示す第２の情報を送信する工程と、
前記撮像装置から、前記第１の情報および第２の情報に基づく第３の情報を取得する工程と、
前記第３の情報に基づいて焦点調節用のレンズの駆動を制御する工程と、を有する
ことを特徴とする制御方法。
【請求項１８】
レンズ装置および該レンズ装置を装着可能なカメラ本体部を備える撮像システムであって、
前記レンズ装置は、
焦点調節用のレンズと、
前記焦点調節用のレンズの駆動を制御する駆動制御手段と、
前記カメラ本体部と通信する第１の通信手段と、を備え、
前記カメラ本体部は、
前記レンズ装置と通信する第２の通信手段と、
複数の領域における焦点検出信号を検出する検出手段と、
前記複数の領域の中から領域を選択し、選択した領域に対応する焦点検出信号に基づいて前記レンズの駆動量を算出する制御手段と、を備え、
前記第１の通信手段は、第１の情報および前記第１の情報の変化を示す第２の情報を前記第２の通信手段に送信し、
前記カメラ本体部の前記制御手段は、前記第２の通信手段を介して前記第１の情報および前記第２の情報を取得し、
前記制御手段は、前記第１の情報および前記第２の情報を取得した後に、前記複数の領域の中から前記レンズの駆動の制御に用いる領域を選択し、
前記制御手段は、前記第２の通信手段を介して、前記第１の情報および前記第２の情報に基づく、前記レンズの駆動量に対応する第３の情報を送信し、
前記第１の通信手段は、前記第２の通信手段から、前記第３の情報を取得し、
前記駆動制御手段は、前記第３の情報に基づいて前記レンズの駆動を制御する
ことを特徴とする撮像システム。
【請求項１９】
前記カメラ本体部の前記制御手段は、中心の像高における前記レンズの敏感度の特性に対し、多項式近似または直線近似により前記敏感度を算出する
ことを特徴とする請求項１８に記載の撮像システム。
【請求項２０】
前記第１の情報は、焦点検出信号をレンズの駆動量に換算する換算情報であり、前記第２の情報は、像高に対応した前記換算情報の変化を示す、前記換算情報の補正情報であり、前記第３の情報は、前記焦点調節用のレンズの駆動量である
ことを特徴とする請求項１８または１９に記載の撮像システム。
【請求項２１】
焦点調整用のレンズを有するレンズ装置および該レンズ装置を装着可能なカメラ本体部を備える撮像システムの制御方法であって、
検出手段により、複数の領域における焦点検出信号を生成する工程と、
前記カメラ本体部の制御部により、前記レンズ装置の通信手段を介して、前記焦点検出信号を前記レンズの駆動量に変換するための第１の情報および像高に対応した前記第１の情報の変化を示す第２の情報を取得する工程と、
前記第１の情報および前記第２の情報を取得した後に、前記複数の領域の中から前記レンズの駆動の制御に用いる領域を選択する工程と、
当該選択した領域の像高に対応させて、前記第１の情報および前記第２の情報から、前記レンズの駆動量に対応する第３の情報を制御信号として生成する工程と、を有する
ことを特徴とする制御方法。
【手続補正２】
【補正対象書類名】明細書
【補正対象項目名】０００７
【補正方法】変更
【補正の内容】
【０００７】
本発明の一実施形態に係る撮像装置は、焦点調節用のレンズを有するレンズ装置と通信する通信手段と、複数の領域における焦点検出信号を検出する検出手段と、前記複数の領域の中から領域を選択し、選択した領域に対応する焦点検出信号に基づいて前記レンズの駆動量を算出する制御手段と、を備え、前記制御手段は、前記通信手段を介して第１の情報および第２の情報を取得し、前記通信手段を介して前記第１の情報および前記第２の情報に基づく、前記レンズの駆動量に対応する第３の情報を送信する。